【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
走行体、前記走行体の上部に旋回可能に設けた旋回体、及び前記旋回体に取り付けた作業機を備え、前記旋回体が、旋回中心に対して左右方向の一方側にオフセットして配置された運転席、前記旋回体に設けた複数のポスト、及び前記複数のポストに支持されて前記運転席の上方を覆うキャノピを備えており、前記キャノピが、前記ポストに被せられた筒状の複数の支柱、及び前記複数の支柱で支持されて前記運転席の上方に配置されたルーフを備えた油圧ショベルにおいて、
前記キャノピの複数の支柱の下端部にそれぞれ設けたスリットと、
前記スリットを跨いで両側に位置するように前記支柱に設けた一対のブラケットと、
前記一対のブラケットを互いに進退させるカム機構と、
前記カム機構を操作するレバーとを備え、
前記レバーを操作して前記カム機構で前記一対のブラケットを介して前記スリットを締め込むことで、前記支柱の内径を収縮させて前記支柱が前記ポストに固定してあることを特徴とする油圧ショベル。
【請求項２】
請求項１に記載の油圧ショベルにおいて、
前記一対のブラケットが共に穴を備えており、
前記カム機構が、
前記レバーと一体に構成されたカムと、
前記カムを回転自在に支持する回転軸を備えたブロックと、
前記穴を通って前記一対のブラケットを貫通し、一方側の端部が前記ブロックにねじ込まれた通しボルトと、
前記ブロックとの間に前記一対のブラケットを挟んで前記通しボルトの他方側に取り付けられたナットと
を含んで構成されていることを特徴とする油圧ショベル。
【請求項３】
請求項１に記載の油圧ショベルにおいて、
前記旋回体に前記ポストを取り付けるベースプレートと、
前記旋回体に前記ベースプレートを固定する複数のボルトとを備えており、
前記スリットを締め込む方向に操作した前記レバーが前記複数のボルトの間に挿し込めるように、前記複数のボルトが配置してあることを特徴とする油圧ショベル。
【請求項４】
請求項１に記載の油圧ショベルにおいて、前記支柱の中心軸方向から見て、前記一対のブラケットに対して前記支柱の外周面における前記スリットと反対側の部分が露出していることを特徴とする油圧ショベル。
【手続補正２】
【補正対象書類名】明細書
【補正対象項目名】０００７
【補正方法】変更
【補正の内容】
【０００７】
上記目的を達成するために、本発明は、走行体、前記走行体の上部に旋回可能に設けた旋回体、及び前記旋回体に取り付けた作業機を備え、前記旋回体が、旋回中心に対して左右方向の一方側にオフセットして配置された運転席、前記旋回体に設けた複数のポスト、及び前記複数のポストに支持されて前記運転席の上方を覆うキャノピを備えており、前記キャノピが、前記ポストに被せられた筒状の複数の支柱、及び前記複数の支柱で支持されて前記運転席の上方に配置されたルーフを備えた油圧ショベルにおいて、前記キャノピの複数の支柱の下端部にそれぞれ設けたスリットと、前記スリットを跨いで両側に位置するように前記支柱に設けた一対のブラケットと、前記一対のブラケットを互いに進退させるカム機構と、前記カム機構を操作するレバーとを備え、前記レバーを操作して前記カム機構で前記一対のブラケットを介して前記スリットを締め込むことで、前記支柱の内径を収縮させて前記支柱が前記ポストに固定してあることを特徴とする。
【手続補正３】
【補正対象書類名】明細書
【補正対象項目名】００３６
【補正方法】変更
【補正の内容】
【００３６】
一対のブラケット７１，７２は互いに同一形状をしたブロックで強固に構成されており、第２支柱５２のスリット６４を跨いで両側に位置するように第２支柱５２に設けられている。本実施形態のブラケット７１，７２は別部材であり、ブラケット７１，７２の互いの対向面に円弧曲面の凹部７５が形成されており、これら凹部７５で第２支柱５２の外周
面を挟み込んだ状態で第２支柱５２の外周面に溶接により強固に接合されている。凹部７５はブラケット７１，７２の長手方向の一方側の端部を含んで形成されている。これにより、本実施形態では、第２支柱５２の中心軸方向から見て、一対のブラケット７１，７２に対して第２支柱５２の外周面におけるスリット６４と反対側の部分７６（図１４）が露出している。つまり第２支柱５２はスリット６４と反対側の部分７６がブラケット７１，７２により覆われておらず、この部分７６がブラケット７１，７２に対してスリット６４と反対側に突き出している。他方、一対のブラケット７１，７２における第２支柱５２からスリット６４側に突き出した部分には、第２支柱５２に直交する方向にそれぞれ穴７７が同軸上に設けられている。
【手続補正４】
【補正対象書類名】明細書
【補正対象項目名】００４０
【補正方法】変更
【補正の内容】
【００４０】
通しボルト８３は、穴７７を通って一対のブラケット７１，７２を貫通し、一方側の端部がブロック８２にねじ込まれている。本実施形態では全ネジの六角ボルトを通しボルト８３に使用しており、通しボルト８３はワッシャ８９及びナット８４，８７を装着した状態で首下部分が一対のブラケット７１，７２の穴７７にブラケット７１側から挿し込まれている。ブラケット７２から突き出した通しボルト８３の先端（一端）は、当て板８８を介してブロック８２のボルト穴８６にねじ込まれている。ナット８４，８７及びワッシャ８９のグループと当て板８８及びブロック８２のグループとで、一対のブラケット７１，７２が挟み込まれた構成である。図１１等ではナット８４が緩んだ状態を示しているが、使用時には予めレバー７４を上向きにした状態でワッシャ８９及び当て板８８がそれぞれブラケット７１，７２に接触するようにナット８４の位置を調整しておく。そして、機械振動によりナット８４が緩まないように、ナット８７を更に締め込んでおく。いわゆるダブルナットである。この状態とした上でレバー７４を下向きに押し下げる操作をすると、図１５に示したようにカム８１によりブラケット７２がブラケット７１に向かって押し付けられ、ブラケット７１，７２を介してスリット６４が締め込まれる。これにより第２支柱５２の内径Ｄ（図１４）が図１５に示したように内径Ｄ’（＜Ｄ）に収縮し、第２支柱５２の内周面でポスト５５の外周面が強く締め付けられ、第２支柱５２がポスト５５に強固に固定される。以上の支柱固定構造やその操作については、第１支柱５１及び第３支柱５３についても同様である。
【手続補正５】
【補正対象書類名】明細書
【補正対象項目名】００４８
【補正方法】変更
【補正の内容】
【００４８】
仮に通しボルト８３の先端がブラケット７１で拘束される構成とすると、ブラケット７１で拘束された通しボルト８３の先端に曲げ応力が集中し得る。それに対し、本実施形態ではブラケット７１，７２に通しボルト８３を通す双方の穴を穴７７とし、通しボルト８３と穴７７との間に隙間が確保されて通しボルト８３がブラケット７１，７２で拘束されない構成とした。これにより通しボルト８３に曲げ応力が集中することを抑制でき、通しボルト８３ひいては締め込み機構７０の健全性を確保することができる。
【手続補正６】
【補正対象書類名】明細書
【補正対象項目名】００４９
【補正方法】変更
【補正の内容】
【００４９】
但し、上記の本質的効果（１）を得る限りにおいては、ブラケット７１，７２の穴を両方とも穴７７にする必要は必ずしもない（図１８及び図１９を用いて後述する第４実施形態参照）。
【手続補正７】
【補正対象書類名】明細書
【補正対象項目名】００５６
【補正方法】変更
【補正の内容】
【００５６】
（第４実施形態）
図１８は本発明の第４実施形態に係る油圧ショベルに備えられたキャノピの支柱の締め込み機構の構造を表す図である。図１９はキャノピの支柱を下側から見た図であり、図１４に対応する図である。図１８及び図１９において第１実施形態の要素と同一の又は対応する要素には既出図面と同符号を付して説明を省略する。本実施形態が第１実施形態と相違する点は、通しボルト８３がブラケット７１で拘束されている点である。つまり、ブラケット７１には穴７７に代えてボルト穴（ネジ穴）９３（図１９）が設けられている。本実施形態においては通しボルト８３として例えば全ネジの寸切ボルトが使用されており、基端がブロック８２にねじ込まれ、先端がブラケット７１のボルト穴９３にねじ込まれている。特に図示していないがブラケット７１から突き出した通しボルト８３の先端にナットを装着して緩み留めにすることもできる。このような構成でも前述した効果（１）を得ることができる。また、本実施形態の構成は第２実施形態にも第３実施形態にも適用できる。
【手続補正８】
【補正対象書類名】明細書
【補正対象項目名】００６０
【補正方法】変更
【補正の内容】
【００６０】
１０…走行体、３０…旋回体、３２…運転席、４０…作業機、５０…キャノピ、５１…第１支柱（支柱）、５２…第２支柱（支柱）、５４…ルーフ、５５…ポスト、６１，６２，６３…ベースプレート、６４…スリット、７１，７２…ブラケット、７３…カム機構、７４…レバー、７６…支柱の外周面におけるスリットと反対側の部分、７７…穴、８１…カム、８２…ブロック、８３…通しボルト、８４…ナット、８５…回転軸、Ｂ，Ｂ１，Ｂ２…ボルト、１００…油圧ショベル、Ｃ…旋回中心、Ｄ，Ｄ’…支柱の内径